【手続補正書】
【提出日】平成22年6月11日(2010.6.11)
【手続補正１】
【補正対象書類名】特許請求の範囲
【補正対象項目名】全文
【補正方法】変更
【補正の内容】
【特許請求の範囲】
【請求項１】
マイクロコンピュータによって制御され、複数フレーム分の画像データの記憶容量を有する画像メモリへの画像データの書き込みと前記画像メモリからの画像データの読み出しとを行う読み書き回路と、
外部のテープ状記録媒体の再生機器から入力された画像データを、リファレンス信号に同期して、前記読み書き回路に書き込みのために供給する入力回路と、
前記読み書き回路によって読み出された画像データを、前記リファレンス信号に同期して出力する出力回路と、
前記再生機器内の画像データのうち、前記画像メモリへの記憶を開始させるフレームの画像データのタイムコードを指定するための操作手段を有する操作部と、
前記再生機器を制御する制御部と
を備え、
前記制御部は、
前記操作部で指定されたタイムコードに応じた再生開始位置からの画像データの再生コマンドを前記再生機器に送り、
前記マイクロコンピュータは、
前記マイクロコンピュータ内のメモリにファイルシステムを構築し、前記操作部で指定されたタイムコード以降に前記再生機器から前記入力回路を介して前記読み書き回路に供給されるフレームの画像データを前記画像メモリに書き込ませるとともに、前記画像メモリにおける画像データの記憶位置を示す記憶位置情報を前記ファイルシステムにファイルとして記憶する画像記憶・ファイル登録処理と、
前記ファイルシステム中のファイルを指定して画像データの読み出しを要求された場合、前記指定されたファイルの前記記憶位置情報に基づき、前記読み書き回路を制御して前記画像メモリから画像データを読み出させる読み出し処理と
を行う
画像記憶再生装置。
【請求項２】
請求項１に記載の画像記憶再生装置において、
前記マイクロコンピュータは、前記画像記憶・ファイル登録処理において、さらに、前記画像メモリに書き込ませた全てのフレームの画像データを一つの素材として管理する素材管理情報を前記ファイルシステムにファイルとして記憶する
画像記憶再生装置。
【請求項３】
請求項１に記載の画像記憶再生装置において、
前記マイクロコンピュータは、前記画像メモリを、アドレス順に一定のバイト数毎の複数の領域に区分して、各々の前記領域に１フレーム分ずつの画像データを書き込むように前記読み書き回路を制御し、各フレームの画像データが格納された前記領域の番号を、前記記憶位置情報として記憶する
画像記憶再生装置。
【請求項４】
請求項１に記載の画像記憶再生装置において、
前記操作部は、前記ファイルシステム中のファイルを指定して画像データの読み出しを要求するための操作手段をさらに有し、
前記マイクロコンピュータは、前記操作部の操作によって前記ファイルシステム中のファイルを指定して画像データの読み出しを要求された場合、前記読み出し処理を実行して、前記画像メモリから読み出させた画像データを前記出力回路から出力させる
画像記憶再生装置。
【請求項５】
請求項１に記載の画像記憶再生装置において、
マイクロコンピュータをネットワークに接続するネットワーク・インタフェース
をさらに備え、
前記マイクロコンピュータは、前記ネットワーク経由で前記ファイルシステム中のファイルを指定して画像データの読み出しを要求された場合、前記読み出し処理を実行して、前記画像メモリから読み出させた画像データを前記ネットワーク・インタフェースから出力させる
画像記憶再生装置。
【請求項６】
マイクロコンピュータによって制御され、複数フレーム分の画像データの記憶容量を有する画像メモリへの画像データの書き込みと前記画像メモリからの画像データの読み出しとを行う読み書き回路と、
外部のテープ状記録媒体の再生機器から入力された画像データを、リファレンス信号に同期して、前記読み書き回路に書き込みのために供給する入力回路と、
前記読み書き回路によって読み出された画像データを、前記リファレンス信号に同期して出力する出力回路と、
前記再生機器内の画像データのうち、前記画像メモリへの記憶を開始させるフレームの画像データのタイムコードを指定するための操作手段を有する操作部と、
前記再生機器を制御する制御部と
を備え、
前記制御部は、
前記操作部で指定されたタイムコードに応じた再生開始位置からの画像データの再生コマンドを前記再生機器に送る第１の処理と、
前記再生機器からタイムコード及び前記リファレンス信号への同期状態の情報を受信し、前記操作部で指定されたタイムコードにおいて前記再生機器が前記リファレンス信号に同期しているか否かを判断する第２の処理と
を行い、前記第２の処理において同期していない場合、前記第１の処理及び前記第２の処理を繰り返し、
前記マイクロコンピュータは、
前記マイクロコンピュータ内のメモリにファイルシステムを構築し、前記制御部の前記第２の処理において同期していると判断された以降に前記再生機器から前記入力回路を介して前記読み書き回路に供給されるフレームの画像データを前記画像メモリに書き込ませるとともに、前記画像メモリにおける画像データの記憶位置を示す記憶位置情報を前記ファイルシステムにファイルとして記憶する画像記憶・ファイル登録処理と、
前記ファイルシステム中のファイルを指定して画像データの読み出しを要求された場合、前記指定されたファイルの前記記憶位置情報に基づき、前記読み書き回路を制御して前記画像メモリから画像データを読み出させる読み出し処理と
を行う
画像記憶再生装置。
【請求項７】
請求項６に記載の画像記憶再生装置において、
前記マイクロコンピュータは、前記画像記憶・ファイル登録処理において、さらに、前記画像メモリに書き込ませた全てのフレームの画像データを一つの素材として管理する素材管理情報を前記ファイルシステムにファイルとして記憶する
画像記憶再生装置。
【請求項８】
請求項６に記載の画像記憶再生装置において、
前記マイクロコンピュータは、前記画像メモリを、アドレス順に一定のバイト数毎の複数の領域に区分して、各々の前記領域に１フレーム分ずつの画像データを書き込むように前記読み書き回路を制御し、各フレームの画像データが格納された前記領域の番号を、前記記憶位置情報として記憶する
画像記憶再生装置。
【請求項９】
請求項６に記載の画像記憶再生装置において、
前記操作部は、前記ファイルシステム中のファイルを指定して画像データの読み出しを要求するための操作手段をさらに有し、
前記マイクロコンピュータは、前記操作部の操作によって前記ファイルシステム中のファイルを指定して画像データの読み出しを要求された場合、前記読み出し処理を実行して、前記画像メモリから読み出させた画像データを前記出力回路から出力させる
画像記憶再生装置。
【請求項１０】
請求項６に記載の画像記憶再生装置において、
マイクロコンピュータをネットワークに接続するネットワーク・インタフェース
をさらに備え、
前記マイクロコンピュータは、前記ネットワーク経由で前記ファイルシステム中のファイルを指定して画像データの読み出しを要求された場合、前記読み出し処理を実行して、前記画像メモリから読み出させた画像データを前記ネットワーク・インタフェースから出力させる
画像記憶再生装置。
【請求項１１】
マイクロコンピュータによって制御され、複数フレーム分の画像データの記憶容量を有する画像メモリへの画像データの書き込みと前記画像メモリからの画像データの読み出しとを行う読み書き回路と、
外部のテープ状記録媒体の再生機器から入力された画像データを、リファレンス信号に同期して、前記読み書き回路に書き込みのために供給する入力回路と、
前記読み書き回路によって読み出された画像データを、前記リファレンス信号に同期して出力する出力回路と、
前記再生機器内の画像データのうち、前記画像メモリへの記憶を開始させるフレームの画像データのタイムコードを指定するための操作手段を有する操作部と、
前記再生機器を制御する制御部と
を備え、
前記制御部は、
前記操作部で指定されたタイムコードに応じた再生開始位置からの画像データの再生コマンドを前記再生機器に送る第１の処理と、
前記再生機器から前記リファレンス信号への同期状態の情報を受信し、前記再生機器が前記リファレンス信号に同期しているか否かを判断する第２の処理と、
前記第２の処理において同期している場合、前記再生機器からタイムコードを受信したか否かを判断する第３の処理と
を行い、
前記マイクロコンピュータは、前記マイクロコンピュータ内のメモリにファイルシステムを構築し、前記制御部の前記第２の処理において同期していると判断された以降に前記再生機器から前記入力回路を介して前記読み書き回路に供給されるフレームの画像データを前記画像メモリに書き込ませるとともに、前記画像メモリにおける画像データの記憶位置を示す記憶位置情報を前記ファイルシステムにファイルとして記憶し、前記制御部の前記第３の処理においてタイムコードを受信したと判断された後、前記操作部で指定されたタイムコードよりも前のタイムコードに該当するフレームの画像データを前記画像メモリから削除させるとともに、前記操作部で指定されたタイムコードよりも前のタイムコードに該当するフレームの画像データの記憶位置を示す記憶位置情報を記憶したファイルを前記ファイルシステムから削除する画像記憶・ファイル登録処理と、
前記ファイルシステム中のファイルを指定して画像データの読み出しを要求された場合、前記指定されたファイルの前記記憶位置情報に基づき、前記読み書き回路を制御して前記画像メモリから画像データを読み出させる読み出し処理と
を行う
画像記憶再生装置。
【請求項１２】
マイクロコンピュータによって制御され、複数フレーム分の画像データの記憶容量を有する画像メモリへの画像データの書き込みと前記画像メモリからの画像データの読み出しとを行う読み書き回路と、
外部のテープ状記録媒体の再生機器から入力された画像データを、リファレンス信号に同期して、前記読み書き回路に書き込みのために供給する入力回路と、
前記読み書き回路によって読み出された画像データを、前記リファレンス信号に同期して出力する出力回路と、
前記再生機器内の画像データのうち、前記画像メモリへの記憶を開始させる画像データのタイムコードの指定を行うための操作手段と、前記画像メモリに記憶させる画像データのフレーム数の指定及び／または前記画像メモリへの記憶の終了の指示を行うための操作手段とを有する操作部と、
前記再生機器を制御する制御部とを備え、
前記制御部は、
前記操作部で指定されたタイムコードに応じた再生開始位置からの画像データの再生コマンドを前記再生機器に送る第１の処理と、
前記再生機器からタイムコード及び前記リファレンス信号への同期状態の情報を受信し、前記操作部で指定されたタイムコード以降のタイムコードにおいて前記再生機器が前記リファレンス信号に同期しているか否かを判断する第２の処理と、
前記第２の処理において再生機器がリファレンス信号に同期していないタイムコードが存在した場合、前記操作部で指定されたタイムコードに該当するフレームから起算して前記操作部で指定されたフレーム数の画像データの再生が完了した後、または前記操作部で前記画像メモリへの記憶の終了が指示された後、前記操作部で指定されたタイムコードに応じた再生開始位置からの画像データの再生コマンドを再び前記再生機器に送って、前記再生機器からタイムコード及び前記リファレンス信号への同期状態の情報を受信し、前記第２の処理において同期していなかった各タイムコードにおいて前記再生機器が前記リファレンス信号に同期しているか否かを判断する第３の処理と
を行い、
前記マイクロコンピュータは、
前記マイクロコンピュータ内のメモリにファイルシステムを構築し、前記制御部の前記第２の処理，前記第３の処理のいずれかにおいて同期していると判断された以降に前記再生機器から前記入力回路を介して前記読み書き回路に供給されるフレームの画像データを前記画像メモリに書き込ませるとともに、前記画像メモリにおける画像データの記憶位置を示す記憶位置情報を前記ファイルシステムにファイルとして記憶する画像記憶・ファイル登録処理と、
前記ファイルシステム中のファイルを指定して画像データの読み出しを要求された場合、前記指定されたファイルの前記記憶位置情報に基づき、前記読み書き回路を制御して前記画像メモリから画像データを読み出させる読み出し処理と
を行う
画像記憶再生装置。
【請求項１３】
マイクロコンピュータによって制御され、複数フレーム分の画像データの記憶容量を有する画像メモリへの画像データの書き込みと前記画像メモリからの画像データの読み出しとを行う読み書き回路と、外部のテープ状記録媒体の再生機器から入力された画像データを、リファレンス信号に同期して、前記読み書き回路に書き込みのために供給する入力回路と、前記読み書き回路によって読み出された画像データを、前記リファレンス信号に同期して出力する出力回路と、前記再生機器内の画像データのうち、前記画像メモリへの記憶を開始させるフレームの画像データのタイムコードを指定するための操作手段を有する操作部と、前記再生機器を制御する制御部とを備える画像記憶再生装置による画像記憶再生方法であって、
前記制御部により、
前記操作部で指定されたタイムコードに応じた再生開始位置からの画像データの再生コマンドを前記再生機器に送る処理を行い、
前記マイクロコンピュータにより、
前記マイクロコンピュータ内のメモリにファイルシステムを構築し、前記操作部で指定されたタイムコード以降に前記再生機器から前記入力回路を介して前記読み書き回路に供給されるフレームの画像データを前記画像メモリに書き込ませるとともに、前記画像メモリにおける画像データの記憶位置を示す記憶位置情報を前記ファイルシステムにファイルとして記憶する画像記憶・ファイル登録処理と、
前記ファイルシステム中のファイルを指定して画像データの読み出しを要求された場合、前記指定されたファイルの前記記憶位置情報に基づき、前記読み書き回路を制御して前記画像メモリから画像データを読み出させる読み出し処理と
を行う
画像記憶再生方法。
【手続補正２】
【補正対象書類名】明細書
【補正対象項目名】発明の名称
【補正方法】変更
【補正の内容】
【発明の名称】画像記憶再生装置および画像記憶再生方法
【手続補正３】
【補正対象書類名】明細書
【補正対象項目名】０００１
【補正方法】変更
【補正の内容】
【０００１】
本発明は、例えばテレビジョン放送用のスタジオ回路などに配置される画像記憶再生装置および当該画像記憶再生装置により実行される画像記憶再生方法に関し、特に、ＶＴＲのようなテープ状記録媒体の再生機器で再生された画像データが入力されるものに関する。
【手続補正４】
【補正対象書類名】明細書
【補正対象項目名】００１５
【補正方法】変更
【補正の内容】
【００１５】
上記課題を解決するために、本発明に係る第１の画像記憶再生装置は、
マイクロコンピュータによって制御され、複数フレーム分の画像データの記憶容量を有する画像メモリへの画像データの書き込みと前記画像メモリからの画像データの読み出しとを行う読み書き回路と、
外部のテープ状記録媒体の再生機器から入力された画像データを、リファレンス信号に同期して、前記読み書き回路に書き込みのために供給する入力回路と、
前記読み書き回路によって読み出された画像データを、前記リファレンス信号に同期して出力する出力回路と、
前記再生機器内の画像データのうち、前記画像メモリへの記憶を開始させるフレームの画像データのタイムコードを指定するための操作手段を有する操作部と、
前記再生機器を制御する制御部と
を備え、
前記制御部は、
前記操作部で指定されたタイムコードに応じた再生開始位置からの画像データの再生コマンドを前記再生機器に送り、
前記マイクロコンピュータは、
前記マイクロコンピュータ内のメモリにファイルシステムを構築し、前記操作部で指定されたタイムコード以降に前記再生機器から前記入力回路を介して前記読み書き回路に供給されるフレームの画像データを前記画像メモリに書き込ませるとともに、前記画像メモリにおける画像データの記憶位置を示す記憶位置情報を前記ファイルシステムにファイルとして記憶する画像記憶・ファイル登録処理と、
前記ファイルシステム中のファイルを指定して画像データの読み出しを要求された場合、前記指定されたファイルの前記記憶位置情報に基づき、前記読み書き回路を制御して前記画像メモリから画像データを読み出させる読み出し処理と
を行う
ことを特徴とする。
【手続補正５】
【補正対象書類名】明細書
【補正対象項目名】００２１
【補正方法】変更
【補正の内容】
【００２１】
次に、本発明に係る第２の画像記憶再生装置は、
マイクロコンピュータによって制御され、複数フレーム分の画像データの記憶容量を有する画像メモリへの画像データの書き込みと前記画像メモリからの画像データの読み出しとを行う読み書き回路と、
外部のテープ状記録媒体の再生機器から入力された画像データを、リファレンス信号に同期して、前記読み書き回路に書き込みのために供給する入力回路と、
前記読み書き回路によって読み出された画像データを、前記リファレンス信号に同期して出力する出力回路と、
前記再生機器内の画像データのうち、前記画像メモリへの記憶を開始させるフレームの画像データのタイムコードを指定するための操作手段を有する操作部と、
前記再生機器を制御する制御部と
を備え、
前記制御部は、
前記操作部で指定されたタイムコードに応じた再生開始位置からの画像データの再生コマンドを前記再生機器に送る第１の処理と、
前記再生機器からタイムコード及び前記リファレンス信号への同期状態の情報を受信し、前記操作部で指定されたタイムコードにおいて前記再生機器が前記リファレンス信号に同期しているか否かを判断する第２の処理と
を行い、前記第２の処理において同期していない場合、前記第１の処理及び前記第２の処理を繰り返し、
前記マイクロコンピュータは、
前記マイクロコンピュータ内のメモリにファイルシステムを構築し、前記制御部の前記第２の処理において同期していると判断された以降に前記再生機器から前記入力回路を介して前記読み書き回路に供給されるフレームの画像データを前記画像メモリに書き込ませるとともに、前記画像メモリにおける画像データの記憶位置を示す記憶位置情報を前記ファイルシステムにファイルとして記憶する画像記憶・ファイル登録処理と、
前記ファイルシステム中のファイルを指定して画像データの読み出しを要求された場合、前記指定されたファイルの前記記憶位置情報に基づき、前記読み書き回路を制御して前記画像メモリから画像データを読み出させる読み出し処理と
を行う
ことを特徴とする。
【手続補正６】
【補正対象書類名】明細書
【補正対象項目名】００２９
【補正方法】変更
【補正の内容】
【００２９】
次に、本発明に係る第３の画像記憶再生装置は、
マイクロコンピュータによって制御され、複数フレーム分の画像データの記憶容量を有する画像メモリへの画像データの書き込みと前記画像メモリからの画像データの読み出しとを行う読み書き回路と、
外部のテープ状記録媒体の再生機器から入力された画像データを、リファレンス信号に同期して、前記読み書き回路に書き込みのために供給する入力回路と、
前記読み書き回路によって読み出された画像データを、前記リファレンス信号に同期して出力する出力回路と、
前記再生機器内の画像データのうち、前記画像メモリへの記憶を開始させるフレームの画像データのタイムコードを指定するための操作手段を有する操作部と、
前記再生機器を制御する制御部と
を備え、
前記制御部は、
前記操作部で指定されたタイムコードに応じた再生開始位置からの画像データの再生コマンドを前記再生機器に送る第１の処理と、
前記再生機器から前記リファレンス信号への同期状態の情報を受信し、前記再生機器が前記リファレンス信号に同期しているか否かを判断する第２の処理と、
前記第２の処理において同期している場合、前記再生機器からタイムコードを受信したか否かを判断する第３の処理と
を行い、
前記マイクロコンピュータは、前記マイクロコンピュータ内のメモリにファイルシステムを構築し、前記制御部の前記第２の処理において同期していると判断された以降に前記再生機器から前記入力回路を介して前記読み書き回路に供給されるフレームの画像データを前記画像メモリに書き込ませるとともに、前記画像メモリにおける画像データの記憶位置を示す記憶位置情報を前記ファイルシステムにファイルとして記憶し、前記制御部の前記第３の処理においてタイムコードを受信したと判断された後、前記操作部で指定されたタイムコードよりも前のタイムコードに該当するフレームの画像データを前記画像メモリから削除させるとともに、前記操作部で指定されたタイムコードよりも前のタイムコードに該当するフレームの画像データの記憶位置を示す記憶位置情報を記憶したファイルを前記ファイルシステムから削除する画像記憶・ファイル登録処理と、
前記ファイルシステム中のファイルを指定して画像データの読み出しを要求された場合、前記指定されたファイルの前記記憶位置情報に基づき、前記読み書き回路を制御して前記画像メモリから画像データを読み出させる読み出し処理と
を行う
ことを特徴とする。
【手続補正７】
【補正対象書類名】明細書
【補正対象項目名】００３８
【補正方法】変更
【補正の内容】
【００３８】
次に、本発明に係る第４の画像記憶再生装置は、
マイクロコンピュータによって制御され、複数フレーム分の画像データの記憶容量を有する画像メモリへの画像データの書き込みと前記画像メモリからの画像データの読み出しとを行う読み書き回路と、
外部のテープ状記録媒体の再生機器から入力された画像データを、リファレンス信号に同期して、前記読み書き回路に書き込みのために供給する入力回路と、
前記読み書き回路によって読み出された画像データを、前記リファレンス信号に同期して出力する出力回路と、
前記再生機器内の画像データのうち、前記画像メモリへの記憶を開始させる画像データのタイムコードの指定を行うための操作手段と、前記画像メモリに記憶させる画像データのフレーム数の指定及び／または前記画像メモリへの記憶の終了の指示を行うための操作手段とを有する操作部と、
前記再生機器を制御する制御部と
を備え、
前記制御部は、
前記操作部で指定されたタイムコードに応じた再生開始位置からの画像データの再生コマンドを前記再生機器に送る第１の処理と、
前記再生機器からタイムコード及び前記リファレンス信号への同期状態の情報を受信し、前記操作部で指定されたタイムコード以降のタイムコードにおいて前記再生機器が前記リファレンス信号に同期しているか否かを判断する第２の処理と、
前記操作部で指定されたタイムコードに該当するフレームから起算して前記操作部で指定されたフレーム数の画像データの再生が完了した後、または前記操作部で前記画像メモリへの記憶の終了が指示された後、前記操作部で指定されたタイムコードに応じた再生開始位置からの画像データの再生コマンドを再び前記再生機器に送って、前記再生機器からタイムコード及び前記リファレンス信号への同期状態の情報を受信し、前記第２の処理において同期していなかった各タイムコードにおいて前記再生機器が前記リファレンス信号に同期しているか否かを判断する第３の処理と
を行い、
前記マイクロコンピュータは、
前記マイクロコンピュータ内のメモリにファイルシステムを構築し、前記制御部の前記第２の処理，前記第３の処理のいずれかにおいて同期していると判断された以降に前記再生機器から前記入力回路を介して前記読み書き回路に供給されるフレームの画像データを前記画像メモリに書き込ませるとともに、前記画像メモリにおける画像データの記憶位置を示す記憶位置情報を前記ファイルシステムにファイルとして記憶する画像記憶・ファイル登録処理と、
前記ファイルシステム中のファイルを指定して画像データの読み出しを要求された場合、前記指定されたファイルの前記記憶位置情報に基づき、前記読み書き回路を制御して前記画像メモリから画像データを読み出させる読み出し処理と
を行う
ことを特徴とする。